(57)【要約】【課題】錠に関する犯罪で、合鍵やピッキングで解錠する犯罪が増えている。ピッキングや合鍵による犯罪にはいかなる強力な錠も無力である。合鍵は複製が可能であり、紛失する事もある。建物の管理や警備に於いても、ピッキングや合鍵による解錠には破壊が伴わない事で対応が難しい面がある。ピッキングや合鍵による不正解錠の防止を遠隔操作や自動切り替えで行い、また室外側からも可能にする事が課題である。【解決手段】施錠した錠を、合鍵やピッキングでも解錠できなくする為に、錠ケース内にデットロックバーを設け、電気的にデットロックバーを動かしてデットボルトの固定と固定解除を行なう事で、デットボルトの固定状態であるデットロック状態の時には合鍵でもピッキングでも解錠できない錠を提供する。【選択図】  図１
2005036400.tif 000002
【特許請求の範囲】
【請求項１】
デットボルト（３）を有する錠の錠ケース（１）に、デットボルトを固定するロッキングバー（７）に対してソレノイド（８）で動かすデットロックバー（９）を組み付け、デットボルトを突き出したいわゆる施錠状態でソレノイドに通電してデットロックバーをＯＮにすると、デットロックバーがロッキングバーを固定して合鍵やピッキングでも解錠する事ができず、デットロックバーをＯＦＦにするとデットロックバーがロッキングバーの固定を解除して合鍵での解錠を可能にする事が特徴のデットロック錠。
【請求項２】
デットボルト（３１）に対してソレノイド（３８）（４０）で動かすデットロックバー（３９）（４１）を組み付け、施錠した錠のデットボルトを直接固定する請求項１記載のデットロック錠。
【請求項３】
デットボルト（３１）を出し入れするダルマ（３４）に対してソレノイド（３６）で動かすデットロックバー（３７）を組み付け、施錠した錠のダルマを固定する事でデットボルトの動きを止める請求項１記載のデットロック錠。
【請求項４】
デットボルトに代えてデットロッキングラッチボルトを有する自動施錠型錠にソレノイドで動かすデットロックバーを組み付け、デットロッキングラッチボルトを固定するロッキングバー、又は直接デットロッキングラッチボルト、又はダルマをデットロックバーで固定する請求項１，２，３記載のデットロック錠。
【請求項５】
テンキー装置と組み合わせる事で暗証番号が合った時だけデットロックバーのＯＮ、ＯＦＦができるデットロック錠。
【請求項６】
タイマー装置と組み合わせる事で、設定した時間に合せてデットロックバーのＯＮ、ＯＦＦを行なうデットロック錠。
【請求項７】
デットロックバーがＯＮの時又はＯＦＦの時に信号を発するデットロック信号スイッチ（６６）を設けたデットロック錠。
【発明の詳細な説明】
【０００１】
【発明の属する技術分野】
電気操作で合鍵でもピッキングでも解錠できなくする錠に関する。
【０００２】
【従来の技術】
私の出願した特願２００２−２７５４７３、解錠防止機構を持つ錠がある。
これは室内側からの手動操作で屋外からの合鍵やピッキングでの解錠を防止するものである。
本発明のデットロック錠はその機構にソレノイドを加える事で、電気を使って遠隔所からの操作を可能にし、自動切り替えを可能にし、屋外からの操作も可能にしたものである。
【０００３】
外に、一見似ているものに電気錠が有る。
電気錠について説明する。
電気錠にもラッチボルトを固定して施錠するタイプにはデットロックバーのような部品が付いたものが有る。しかし電気錠は電気的に施錠や解錠を行なうと同時に合鍵でも施錠や解錠ができる。
合鍵を持っていれば常に施解錠ができ、ピッキングでも常に解錠が可能である。
【０００４】
従来の電気錠や他の錠で、施錠した錠をさらに電気的に施錠して合鍵やピッキングでも解錠できなくするものは見られない。
本発明のデットロック錠は電気操作で合鍵やピッキングでの解錠を防止するものであり、電気操作で施解錠するのもでは無い。電気錠とは目的が違うものであり、電気錠とは構造も使い方も違うものである。
【０００５】
【発明が解決しようとする課題】
紛失した合鍵を使用されて解錠される。複製された合鍵を使って解錠される。貸している合鍵でも入ってもらいたくない時がある。ピッキングで解錠される。このような時はいくら強度の強い錠でも無効である。
建物の管理や警備をする場合でも、合鍵を持った者が無断で２４時間自由に建物に入られてはやりにくい。時間を決めて合鍵やピッキングでの錠の解錠を防止したい。
また、外出するにあたり、屋内が無人になる時に合鍵やピッキングでの解錠を防止したい。
【０００６】
長期の旅行や定期的に家を留守にした時に合鍵やピッキングで解錠されて泥棒に侵入される事がある。
以上を解決する為に電気操作によって遠隔操作、タイマーでの自動切り替え、テンキーを使って屋外からの操作をする事で、合鍵やピッキングでの解錠を防止できる防犯性の高い錠を提供する事が課題である。
【０００７】
【課題を解決するための手段】
錠を構成する主要部品の動きを止めれば合鍵やピッキングでも解錠できなくなる。主要部品とはシリンダーやサムターンを組み付けてデットボルトを出し入れするダルマと、デットボルト自体と、突き出したデットボルトを固定するロッキングバー及びサムターンである。このどれかの動きを封じれば良い。
それを実現したのが特願２００２−２７５４７３である。
特願２００２−２７５４７３は屋内側から手動で操作するものである。
本発明では手動操作を電気操作に代える事で、屋外からの操作、遠隔所からの操作、テンキーやタイマーとの連動を可能にしたものである。
【０００８】
電気操作の仕組みは、鍵の主要部品のどれかに部品の動きを止めるデットロックバーを組み付け、デットロックバーにソレノイドを組み付け、ソレノイドに通電してデットロックバーを動かす事で主要部品の動きを止める。
ソレノイドは電磁石を応用したものである。電極を変えて通電する事でデットロックバーの突き出しと引込めを行なう。突き出した状態がＯＮであり、合鍵やピッキングでの解錠を防止する状態である。引込めた状態がＯＦＦである。
【０００９】
【発明の実施の形態】
本発明のデットロック錠は、錠の施錠状態すなわちデットボルトが突き出した状態で電気的にデットロックバーを操作し、デットボルトをさらに固定する事で合鍵でもピッキングでも解錠できなくしたものである。
【００１０】
図１、２、３が請求項１記載のデットロック錠である。ソレノイド（８）を組み付けたデットロックバー（９）をデットボルト（３）の動きを止めるロッキングバー（７）に組み付け、電気操作でデットロックバーを動かして施錠状態にあるロッキングバーの動きを止め、解錠できなくするものである。
【００１１】
図６がダルマ（３４）にロックバー（３５）を設け、ソレノイド（３６）を組み付けたデットロックバー（３７）を、ダルマのロックバーに組み付けた請求項３記載のデットロック錠の機構を示す。
電気操作でデットロックバーを動かして施錠状態にあるダルマの動きを止め、解錠できなくするものである。
【００１２】
図６はまたソレノイド（４０）を組み付けたデットロックバー（４１）を、直接デットボルト（３１）に組み付けた請求項２記載のデットロック錠の機構を示す。
デットボルトにデットロックバーを組み付ける方法は図６の中のデットボルト（３１）後方にデットロックバー（３９）を組み付けても良い。
電気操作でデットロックバーを動かして施錠状態にあるデットボルトの動きを直接止め、解錠できなくするものである。
【００１３】
図６はデットロックバーの組み合わせ種類を説明する為、１個の錠に３種類の組み合わせを図示したものである。
【００１４】
デットロックバーの動きを図１、２、３で説明する。
デットロックバー（９）はソレノイド（８）と組み合わせてある。ソレノイドは電磁石の磁力を応用したものである。ソレノイドからのコード（１０）に通電する事で磁石の作用でデットロックバーが動く。電極を逆にして通電すればデットロックバーが逆方向に動く。デットロックバーはロッキングバー（７）に組み合わせてある。通電して、突き出たデットボルトを固定しているロッキングバーの動きを封じた状態がデットロックＯＮの状態である。それをデットロック状態と表現する。その状態を示すのが図１と図２である。
【００１５】
通電して、デットロックバーを引き込めてロッキングバーの封じを解除した状態がＯＦＦの状態である。ＯＦＦの状態では通常の錠と同じ状態となり、合鍵やピッキングでの解錠が可能になる。その状態を示すのが図３である。
【００１６】
自動施錠型錠では、ラッチボルトがデットボルトの役目をするデットロッキングラッチボルトを使用したものが多い。
そのデットロッキングラッチボルトの動きを封じるのが請求項４記載のデットロック錠である。
この錠には図６のダルマ（３４）にロックバー（３５）を設け、ロックバーにデットロックバー（３７）を組み合わせるのが特に有効である。
【００１７】
理由は、シリンダーやサムターンを錠ケースに組み付ける為には必ずダルマを使用する為である。
自動施錠型では構造が多様で、他の部分にデットロックバーを組み合わせできない事がある。
【００１８】
図３はテンキー装置（１３）とデットロック錠を組み合わせた請求項５記載のデットロック錠を示す。図４はその室外側を示し、図５は室内側を示す。
テンキー装置と組み合わせる利点を図４と５で説明する。
外出して留守にする時玄関の錠を合鍵で施錠し、テンキーの暗証番号を押してＯＮボタン（１５）を押し、デットロック状態にする。
デットロック状態では合鍵やピッキングでも暗証番号を知らない者は解錠する事ができない。
帰宅して解錠する時は、暗証番号を押してデットロック状態を解除後に合鍵を使って解錠する。
【００１９】
室内からはサムターン（２０）を回して施錠し、ＯＮボタン（２３）を押すとデットロック状態となる。
女子の一人住まいや老人子供のみで留守をしている時は、合鍵やピッキングでの錠破りや解錠を防止できて安全性が高まる。
解錠にはＯＦＦボタン（２５）を押してデットロック状態を解除後に、サムターンを回して解錠する。
【００２０】
変形例としてテンキー装置に代えてカードリーダー装置と組み合わせる事もできる。
カードを差し込みＯＮボタンを押してデットロック状態とし、カードを差し込みＯＦＦボタンを押してデットロック状態を解除する。
【００２１】
タイマー装置とデットロック錠を組み合わせたものが請求項６記載のデットロック錠である。
タイマーと組み合わせる利点は時間管理を自動で行なえる事である。
建物や部屋に入れない時間帯を設ける時に有効である。
従来は合鍵を持つ者が２４時間自由に解錠する事が可能で、入室を規制する事ができなかった。
請求項６記載のデットロック錠を使う事で時間での錠の解錠が規制され、建物の警備や管理がし易くなる。
タイマー連動は、錠が施錠した信号を受けてデッドロックをＯＮにする事で誤操作や誤作動を防止する。
【００２２】
本発明のデットロック錠はデットロック状態のＯＮ、ＯＦＦを遠隔所から行なう事も可能である。
遠隔所からの操作や建物を集中管理を行なう場合はＯＮ、ＯＦＦの状態を遠隔所で確認できる事が好ましい。
その為に、デットロックのＯＮ，ＯＦＦ状態を発信するデットロック信号スイッチ（６６）を錠ケース内に設け、コード（６７）で発信するのが図８で示した請求項７記載のデットロック錠である。
【００２３】
本発明のデットロック錠によるトラブルが予測されるのは室内への閉じ込めである。屋内に居る間にデットロック状態になってしまうと屋外へでられない。
その時の脱出の為に非常解錠装置を設けたのが図７で示す変形例である。
デットロックバーの一部を錠ケースの外へ出して非常解レバー（５０）とする。
非常解レバーに非常解ツマミ（５２）を取り付ける事で、非常解ツマミを操作して解錠する事ができる。
【００２４】
他に考えられるトラブルは、タイマー等でデットロック状態にした時は部屋に入りたくても入れない事が考えられる。その場合必要に応じて遠隔操作でデットロック状態を解除すれば良い。
接続したテンキー装置やタイマー装置の故障や配線したコードの断線、または停電も考えられる。
それについては信頼できる装置を使用し、信頼できる配線をする事で防止する。それでも充分でない時はバックアップの装置や電源を設ける事もできる。
【図面の簡単な説明】
【図１】請求項１記載の錠の、錠ケース蓋を取った斜視図で、デットロック状態を示す。
【図２】図１のＡＡ断面で、扉に取り付た状態を示す。
【図３】図２の解錠状態で、テンキー装置と組み合わせた請求項５記載のデットロック錠を示す。
【図４】図３の、扉に取り付けた状態を示す外観斜視図である。
【図５】図４の、内観斜視図である。
【図６】請求項２と３記載のデットロック錠機構を示す。
【図７】室内側からの錠ケース斜視図で、非常解錠装置を説明する図である。
【図８】デットロック信号スイッチを設けた請求項７記載のデットロック錠を示す。
【符号の説明】
１  錠ケース
２  錠フロント
３  デットボルト
４  ラッチボルト
５  ダルマ
６  デットカム
７  ロッキングバー
８  ソレノイド
９  デットロックバー
１０  コード
１１  ロッキングピン
１２  扉
１３  テンキー装置室外側
１４  文字盤
１５  ＯＮボタン
１６  ＯＦＦボタン
１７  コネクタ
１８  シリンダー
１９  室外側取手
２０  サムターン
２１  室内側取手
２２  テンキー装置室内側
２３  ＯＮボタン
２４  ＯＮ表示ランプ
２５  ＯＦＦボタン
３０  錠ケース
３１  デットボルト
３２  ラッチボルト
３３  ロッキングバー
３４  ダルマ
３５  ロックバー
３６  ソレノイド
３７  デットロックバー
３８  ソレノイド
３９  デットロックバー
４０  ソレノイド
４１  デットロックバー
５０  非常解レバー
５１  非常解ケース
５２  非常解ツマミ
６０  錠ケース
６１  デットボルト
６２  ロッキングバー
６３  ソレノイド
６４  デットロックバー
６５  コード
６６  デットロック信号スイッチ
６７  コード
６８  ダルマ
【図１】
2005036400.tif 000003
【図２】
2005036400.tif 000004
【図３】
2005036400.tif 000005
【図４】
2005036400.tif 000006
【図５】
2005036400.tif 000007
【図６】
2005036400.tif 000008
【図７】
2005036400.tif 000009
【図８】
2005036400.tif 000010